【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
キュベットを提供し、
キュベットを通過する電磁線を発する電磁線源を提供し、
電磁線が光路長を移動した後の事象を検出するものであって、ここで光路長の移動は少なくともキュベットを通過することからなる、電磁線源から発せられる電磁線を検出する検出器を提供し、
生理的食塩水の参照流体をキュベットに注入し、
該生理的食塩水の参照流体を使用して光路長を決定し、
光路長を使用してサンプル水吸光度についての補正参照スペクトルを決定し、そしてサンプル水吸光度についての補正参照スペクトルを算出するか、または複数の貯蔵参照スペクトルの中からサンプル水吸光度についての補正参照スペクトルを選択し、
光路長を使用してサンプルタンパク質吸光度についての補正参照スペクトルを決定し、そしてサンプルタンパク質吸光度についての補正参照スペクトルを算出するか、または複数の貯蔵参照スペクトルの中からサンプルタンパク質吸光度についての補正参照スペクトルを選択し、
流体サンプルをキュベットに注入し、
電磁線源からキュベットおよび流体サンプルを通過する一定の波長領域の電磁線を放射し、
該波長領域を通過し、検出器に到達する電磁線の量を測定することにより総サンプル吸光度のデータを取得し、
総サンプル吸光度のデータから補正参照水スペクトルおよび補正タンパク質スペクトルを減算し、そして
補正参照水スペクトルおよび補正タンパク質スペクトルが減算された後の残余の吸光度スペクトルを使用して流体サンプル中のグルコース濃度を決定する、工程を、特定の順序なしに、含んでなる流体サンプル中のグルコース濃度の測定方法。
【請求項２】
エミッターが赤外領域の電磁線を発する請求項１記載の方法。
【請求項３】
補正参照水吸光度スペクトルが、総サンプル吸光度のデータから補正参照タンパク質吸光度が減算される前に総サンプル吸光度のデータから減算される請求項１記載の方法。
【請求項４】
光路長が約４．５〜約５μｍの波長に対する水の吸光度に基づいて決定される請求項１記載の方法。
【請求項５】
波長領域が１つより多いい波長領域を含んでなる請求項１記載の方法。
【請求項６】
補正水吸光度参照スペクトルが所定の光路長についての１つの波長より多いいところでの水の吸収率を含んでなる請求項１記載の方法。
【請求項７】
補正水吸光度参照スペクトルが約４．７μｍにおけるピーク吸光度を使用して決定される請求項１記載の方法。
【請求項８】
補正水吸光度参照スペクトルが減算されたことの確認が、約４．５〜約５μｍの波長における残存吸光度がゼロであるように決定することで行われる請求項１記載の方法。
【請求項９】
補正タンパク質吸光度参照スペクトルが所定の光路長についての１つの波長より多いいところでのタンパク質の吸収率を含んでなる請求項１記載の方法。
【請求項１０】
補正タンパク質吸光度参照スペクトルが約７．０〜約７．２μｍにおけるピーク吸光度を使用して決定される請求項１記載の方法。
【請求項１１】
補正タンパク質吸光度参照スペクトルが約７．９〜約８．１μｍにおけるピーク吸光度を使用して決定される請求項１記載の方法。
【請求項１２】
吸光度スペクトルがフーリエ変換赤外線分光機を使用して取得される請求項１記載の方法。
【請求項１３】
グルコース濃度が約９．２５μｍにおけるピーク吸光度を使用して決定される請求項１記載の方法。
【請求項１４】
グルコース濃度が約９．６５μｍにおけるピーク吸光度を使用して決定される請求項１記載の方法。
【請求項１５】
サンプル容器を提供し、
サンプル容器を通過する電磁線を発する電磁線源を提供し、
電磁線が光路長を移動した後の電磁線源から発せられた電磁線を検出する検出器であって、ここで光路長の移動は少なくともサンプル容器を通過することからなる、検出器を提供し、
参照流体をサンプル容器に注入し、
光路長を決定し、
光路長を使用してサンプル水吸光度についての補正参照スペクトルを決定し、
流体サンプルをサンプル容器に注入し、
電磁線源からサンプル容器および流体サンプルを通過する少なくとも１つの波長領域の電磁線を放射し、
検出器に到達する少なくとも１つの波長における電磁線の量を測定することにより複合サンプルのデータを取得し、
複合サンプルのデータから補正水吸光度参照スペクトルを減算し、そして
補正水吸光度参照スペクトルが減算された後の残余の吸光度スペクトルを使用して流体サンプル中の被検体濃度を決定する、工程を、特定の順序なしに、含んでなる流体サンプル中の被検体濃度の測定方法。
【請求項１６】
光路長を使用してサンプルタンパク質吸光度についての補正参照スペクトルを決定し、
複合サンプルのデータから補正タンパク質吸光度参照スペクトルを減算し、そして
補正タンパク質吸光度参照スペクトルが減算された後の残余吸光度を使用して流体サンプル中の被検体の濃度を決定することを、さらに含んでなる請求項１５記載の方法。
【請求項１７】
被検体がグルコースである請求項１５記載の方法。
【請求項１８】
サンプル容器がキュベットである請求項１５記載の方法。
【請求項１９】
エミッターが赤外領域の電磁線を発する請求項１５記載の方法。
【請求項２０】
光路長が、流体容器が空であるときの縞筋パターンを使用して決定される請求項１５記載の方法。
【請求項２１】
光路長が参照流体の吸光度を測定することにより決定される請求項１５記載の方法。
【請求項２２】
光路長の決定が複合サンプルデータの取得前後に為される請求項２１記載の方法。
【請求項２３】
参照流体が水である請求項２１記載に方法。
【請求項２４】
参照流体が生理的食塩水である請求項２１記載の方法。
【請求項２５】
光路長が約４．５〜約５μｍの領域を波長についての水吸光度に基づき決定される請求項１５記載の方法。
【請求項２６】
波長領域が１つの波長より多くを含んでなる請求項１５記載の方法。
【請求項２７】
波長領域が少なくとも１つ分離した波長を含んでなる請求項１５記載の方法。
【請求項２８】
補正水吸光度参照スペクトルが所定の光路長についての1より多くの波長における水の吸収率を含んでなる請求項１５記載の方法。
【請求項２９】
補正水吸光度参照スペクトルが参照水波長のまたはその近傍における少なくとも１つの吸光度値を含んでなる請求項１５記載の方法。
【請求項３０】
補正水吸光度参照スペクトルが約４．７μｍにおけるピーク吸光度を使用して決定される請求項１５記載の方法。
【請求項３１】
補正水吸光度参照スペクトルが減算されたことの確認が、約４．５〜約５μｍの波長における残存吸光度がゼロであることの決定により達成される請求項１５記載の方法。
【請求項３２】
補正タンパク質吸光度参照スペクトルが所定の光路長についての１つの波長より多いいところでのタンパク質の吸収率を含んでなる請求項１５記載の方法。
【請求項３３】
補正タンパク質吸光度参照スペクトルが参照タンパク質波長のまたはその近傍における少なくとも１つの吸光度値を含んでなる請求項１５記載の方法。
【請求項３４】
補正タンパク質吸光度参照スペクトルが約７．０〜約７．２μｍにおけるピーク吸光度を使用して決定される請求項１５記載の方法。
【請求項３５】
補正タンパク質吸光度参照スペクトルが約７．９〜約８．１μｍにおけるピーク吸光度を使用して決定される請求項１５記載の方法。
【請求項３６】
吸光度スペクトルがフーリエ変換赤外線分光機を使用して取得される請求項１５記載の方法。
【請求項３７】
被検体がグルコースである請求項１５記載の方法。
【請求項３８】
被検体濃度が約９．２５μｍにおけるピーク吸光度を使用して決定される請求項３７記載の方法。
【請求項３９】
被検体濃度が約９．６５μｍにおけるピーク吸光度を使用して決定される請求項３７記載の方法。
【請求項４０】
サンプル容器を提供し、
サンプル容器を通過して電磁線を発する電磁線源を提供し、
電磁線が光路長を移動した後の電磁線源から発せられた電磁線を検出する検出器であって、ここで光路長の移動は少なくともサンプル容器を通過することからなる、検出器を提供し、
参照流体をサンプル容器に注入し、
光路長を決定し、
光路長を使用してサンプル水吸光度についての補正参照スペクトルを決定し、ここでサンプル水吸光度についての参照スペクトルが参照水波長のまたはその近傍における少なくとも１つの吸光度値を含んでなるものであり、
流体サンプルをサンプル容器に注入し、
サンプル容器および流体サンプルを通過する電磁線源からの少なくとも１つの波長における電磁線を放射し、
検出器に到達する少なくとも１つの波長の電磁線の量を測定することにより複合サンプルのデータを取得し、
複合サンプルのデータから補正水吸光度参照スペクトルを減算し、そして
補正水吸光度参照スペクトルが減算された後の残余の吸光度スペクトルを使用して流体サンプル中の被検体濃度を決定する、工程を、特定の順序なしに、含んでなる流体サンプル中の被検体濃度の測定方法。
【請求項４１】
光路長を使用してサンプルタンパク質吸光度についての補正参照スペクトルを決定し、ここでサンプルタンパク質吸光度についての参照スペクトルが参照タンパク質波長のまたはその近傍における少なくとも１つの吸光度値を含むものであり、
複合サンプルのデータから補正タンパク質吸光度参照スペクトルを減算し、そして
補正タンパク質吸光度参照スペクトルが減算された後の残余吸光度を使用して流体サンプル中の被検体の濃度を決定することを、さらに含んでなる請求項４０記載の方法。
【請求項４２】
少なくとも１つの参照水波長が約４．７μｍである請求項４０記載の方法。
【請求項４３】
少なくとも１つの参照タンパク質波長が約７．１μｍである請求項４０記載の方法。
【請求項４４】
少なくとも１つの参照タンパク質波長が約８．０μｍである請求項４０記載の方法。